(57)【要約】【課題】携帯電話機を用いて決済を行う際にポイントを付与する。【解決手段】携帯電話機１０と、センター装置２０と、決済端末装置３０と、カード管理装置４０とからなるポイント管理システムである。センター装置２０は、当該システムを利用可能な携帯電話機ＩＤ情報を付与して登録し、決済端末装置３０は、携帯電話機１０の与信情報を読み出して必要な決済を行う。センター装置２０は、決済端末装置３０の決済情報に基づき携帯電話機毎にサービス等の提供企業毎のポイントを付与し、かつそのポイント情報を携帯電話機１０に送信する。【選択図】          図１
2006059029.tif 000002
【特許請求の範囲】
【請求項１】
ネットワークを介して接続された携帯無線端末装置と、センター装置と、決済端末装置とからなり、
センター装置は、前記携帯無線端末装置にＩＤ情報を付与して登録し、カード管理装置からの設定された与信枠情報を携帯無線端末装置に送信する各処理を行う手段、前記決済端末装置から送信される決済情報に基づき、前記携帯無線端末装置毎に各サービス等の提供業者毎のポイントを付与又は更新して記憶する手段、及び前記携帯無線端末装置に前記更新したポイント情報を送信する手段を備え、
前記カード管理装置は、前記与信枠設定要求に基づき与信枠を設定し、該与信枠をセンター装置に送信する各処理を行う手段を備え、
前記携帯無線端末装置は、送信された与信情報及び前記センター装置から送信されたポイント情報を記憶する手段を備え、
前記決済端末装置は、携帯無線端末装置の与信情報及び／又はポイント情報を読み出して必要な決済を行うと共に、前記決済後の与信情報及びポイント情報を携帯無線端末装置に再設定する処理手段、及び前記再設定した与信情報及びポイント情報を含む決済情報を前記センター装置に送信する手段を備えたことを特徴とするポイント管理システム。
【請求項２】
ネットワークを介して接続された携帯無線端末装置と、センター装置と、決済端末装置とからなり、
センター装置は、前記携帯無線端末装置にＩＤ情報を付与して登録し、カード管理装置からの設定された与信枠情報を携帯無線端末装置に送信する各処理を行う手段、前記決済端末装置から送信される決済情報に基づき、前記携帯無線端末装置毎に各サービス等の提供業者毎のポイントを付与又は更新して記憶する手段、及び前記携帯無線端末装置に前記更新したポイント情報を送信する手段を備え、
前記カード管理装置は、前記与信枠設定要求に基づき与信枠を設定し、該与信枠及び再設定した与信情報を含む決済情報をセンター装置に送信する各処理を行う手段を備え、
前記携帯無線端末装置は、送信された与信情報及び前記センター装置から送信されたポイント情報を記憶する手段を備え、
前記決済端末装置は、携帯無線端末装置の与信情報及び／又はポイント情報を読み出して必要な決済を行うと共に、前記決済後の与信情報及びポイント情報を携帯無線端末装置に再設定する処理手段、及び前記再設定した与信情報を含む決済情報を前記カード管理装置に送信する手段を備えたことを特徴とするポイント管理システム。
【請求項３】
請求項１又は２に記載されたポイント管理システムにおいて、
前記決済端末装置は、決済専用端末装置と該決済専用端末装置の出力を送信可能な送信機能付端末装置とからなることを特徴とするポイント管理システム。
【請求項４】
請求項１ないし４のいずれかに記載されたポイント管理システムにおいて、
前記センター装置は、前記携帯無線端末装置毎にかつサービス等の提供業者毎にポイントを付与することを特徴とするポイント管理システム。
【発明の詳細な説明】
【技術分野】
【０００１】
本発明は、カード機能を備えた携帯無線端末装置を用いた決済システムで使用可能なポイントカードシステムに関するものである。
【背景技術】
【０００２】
近年決済手段の多様化が進んでおり、従来の現金決済、プリペイド方式による決済に加えてＩＣカードや携帯電話機による決済が行われている（特許文献１、特許文献２参照）。
【０００３】
また、商品の購入やサービスの提供に対して決済を行う毎に顧客にポイントを与え、顧客は、このポイントを集めることでサービスや物品の提供或いは割引サービスを可能にしたポイントシステムが広く普及している。このポイントサービスは、サービス券やクーポン券を顧客に渡したり、台紙にその都度スタンプを押していく方式、磁気ストライプやＩＣ内蔵のカードを顧客用に発行し、利用の都度これらカードにポイント数を記録して行く方式、バーコードを備えたカード、クレジットカードによる買物をした場合のポイント管理方式等、多種多様でありが、いずれも異なるポイント提供業者のポイントを一元的に管理でき同時に利用した各店舗（メーカ、商店）独自のポイントを扱うことができるものではない。そのため、メーカや商店が提供するポイントなどを１枚のカードで管理し、蓄えたポイントを転送して容易にポイントを利用できるように、顧客の利用実績に応じたポイントを発行し、ポイントに対してサービス又は商品を提供するポイントシステムが提案されている（特許文献３参照）。
【０００４】
即ち、このポイントカードシステムは、ポイントを格納するメモリとポイント管理アプリケーションを内蔵するＩＣカードと、システム全体を管理するポイントシステム管理手段とメーカや商店などに設けたＩＣカード読み書き手段とから構成し、ポイントシステム管理手段はメーカの登録・管理を行い、登録する時点でメーカごとに固有のポイント管理アプリケーションにアクセスするための暗号鍵を発行する機能を有しており、ポイント管理アプリケーションは暗号鍵等の情報を使って読み書き手段から利用するようにしている。
【０００５】
しかしながら、このシステムは、ポイント管理アプリケーションを内蔵する専用のＩＣカードにポイントを書き込み、かつ、各店舗等にもポイント書き込み装置を備える専用のシステムを要するから、例えば、このシステムをカード決済システムで使用する場合、カードに加えてさらにポイント管理用のＩＣカードを所持することになり煩雑であるばかりではなく、各店舗等にも専用のポイント書き込み装置を備える必要がありコストが掛かる等の問題がある。
【特許文献１】特開２００２−２４７３０号公報
【特許文献２】特開２００３−２１６９９３号公報
【特許文献３】特開２００４−１２７２６７号公報
【発明の開示】
【発明が解決しようとする課題】
【０００６】
そこで、本発明は、これら従来のポイント管理システムの問題を解決すべくなされたものであって、その目的は、カード機能を備えた携帯電話機などの携帯無線端末装置を用いて決済を行う場合に、その決済情報を各携帯端末装置毎に一元管理することで、サービス提供業者等の独自のポイントサービスを可能にすると共に、ポイント付与業務を決済業務に併せて行い、カード機能を持った携帯無線端末装置で決済及びポイント行使の両方ができるようにしたシステムを提供することである。
【課題を解決するための手段】
【０００７】
請求項１の発明は、ネットワークを介して接続された携帯無線端末装置と、センター装置と、決済端末装置とからなり、センター装置は、前記携帯無線端末装置にＩＤ情報を付与して登録し、カード管理装置からの設定された与信枠情報を携帯無線端末装置に送信する各処理を行う手段、前記決済端末装置から送信される決済情報に基づき、前記携帯無線端末装置毎に各サービス等の提供業者毎のポイントを付与又は更新して記憶する手段、及び前記携帯無線端末装置に前記更新したポイント情報を送信する手段を備え、前記カード管理装置は、前記与信枠設定要求に基づき与信枠を設定し、該与信枠をセンター装置に送信する各処理を行う手段を備え、前記携帯無線端末装置は、送信された与信情報及び前記センター装置から送信されたポイント情報を記憶する手段を備え、前記決済端末装置は、携帯無線端末装置の与信情報及び／又はポイント情報を読み出して必要な決済を行うと共に、前記決済後の与信情報及びポイント情報を携帯無線端末装置に再設定する処理手段、及び前記再設定した与信情報及びポイント情報を含む決済情報を前記センター装置に送信する手段を備えたことを特徴とするポイント管理システムである。
請求項２の発明は、ネットワークを介して接続された携帯無線端末装置と、センター装置と、決済端末装置とからなり、センター装置は、前記携帯無線端末装置にＩＤ情報を付与して登録し、カード管理装置からの設定された与信枠情報を携帯無線端末装置に送信する各処理を行う手段、前記決済端末装置から送信される決済情報に基づき、前記携帯無線端末装置毎に各サービス等の提供業者毎のポイントを付与又は更新して記憶する手段、及び前記携帯無線端末装置に前記更新したポイント情報を送信する手段を備え、前記カード管理装置は、前記与信枠設定要求に基づき与信枠を設定し、該与信枠及び再設定した与信情報を含む決済情報をセンター装置に送信する各処理を行う手段を備え、
前記携帯無線端末装置は、送信された与信情報及び前記センター装置から送信されたポイント情報を記憶する手段を備え、前記決済端末装置は、携帯無線端末装置の与信情報及び／又はポイント情報を読み出して必要な決済を行うと共に、前記決済後の与信情報及びポイント情報を携帯無線端末装置に再設定する処理手段、及び前記再設定した与信情報を含む決済情報を前記カード管理装置に送信する手段を備えたことを特徴とするポイント管理システムである。
請求項３の発明は、請求項１又は２に記載されたポイント管理システムにおいて、前記決済端末装置は、決済専用端末装置と該決済専用端末装置の出力を送信可能な送信機能付端末装置とからなることを特徴とするポイント管理システムである。
請求項４の発明は請求項１ないし４のいずれかに記載されたポイント管理システムにおいて、前記センター装置は、前記携帯無線端末装置毎にかつサービス等の提供業者毎にポイントを付与することを特徴とするポイント管理システムである。
【発明の効果】
【０００８】
本発明によれば、従来の現金或いはカードによる決済に代えて、ユーザーは、単に携帯電話機等の携帯無線端末装置を決済端末装置にセットするか近接するだけの操作で決済ができ便利であるばかりではなく、その決済情報に基づきセンター装置で当該携帯無線端末装置のポイントを各店舗等毎に集計できるから、多種多様にわたるポイントサービスを一元的に管理し、かつ、ユーザーは、その情報に基づくサービスの提供等も携帯無線端末装置を用いて容易に受けることができる。
【発明を実施するための最良の形態】
【０００９】
図１は、本発明のポイント管理システムを概略的に示すブロック図である。
本システムは、概略的には、携帯無線端末装置、典型的には携帯電話機１０と、センター装置２０と、決済端末装置３０と、カード管理装置４０とからなっており、携帯電話機１０は、センター装置２０と携帯電話回線網ＮＴ１を介して接続されており、かつセンター装置２０は商用通信回線網ＮＴ２を介して決済端末装置３０及び例えば信販会社のカード管理装置４０に接続されている。
【００１０】
図２は、センター装置２０を概略的に示すブロック図である。センター装置２０は、携帯電話機１０、決済端末装置３０及びカード管理装置４０との情報の授受を行うサーバー２２と、記憶装置２４とネットワークとのインターフェース２６とを備えており、前記記憶装置２４には利用者情報を格納する利用者テーブルＴ６が備えられている。
【００１１】
図３は、決済端末装置３０を概略的に示すブロック図である。決済端末装置３０は、携帯電話機１０の非接触ＩＣチップの記録内容を読み出す読取部３２、カード管理装置４０と情報の授受及び決済を行うための制御部３４、記憶装置３６及びネットワークＮＴ２とのインターフェース３８を備えている。ここで、記憶装置３６には後述の取引情報を格納する取引テーブルＴ５が備えられている
【００１２】
図４は、カード管理装置を概略的に示すブロック図である。カード管理装置４０は、例えばカードを発行する信販会社に置かれ、携帯電話機１０、センター装置２０、決済端末装置３０と情報の授受を行うと共に、その他カード管理に必要な処理を行うカード管理サーバー４２、記憶装置４４、ネットワークＮＴ２とのインターフェース４６からなり、記憶装置４４には、カードの利用者情報を記憶するための顧客テーブルＴ１、カード利用額情報を記憶するカード利用額テーブルＴ２、精算テーブルＴ３、取引先テーブルＴ４が備えられている。
【００１３】
図５は、カード管理装置４０が備える顧客テーブルＴ１の具体例を示し、顧客の氏名、カード番号（顧客が信販会社から付与されたもの）、暗証番号、住所、電話番号、サブカード番号１，２，３・・・等が格納されている。
図６は、カード利用額テーブルＴ２の具体例を示し、各カードごとにカード番号、利用限度額（与信限度額）、サブカード番号（ユーザーが信販会社と契約して得たカードを基に携帯電話機に付与されたサブカード番号）１，２，３・・・が格納されている。
図７は、精算テーブルＴ３の具体例を示し、サブカード番号、精算金額、新与信金額（更新後の与信額つまり現在の与信額）、利用日時情報、端末番号、決済日時、支払い日時情報等が格納されている。
【００１４】
図８は、取引先テーブルＴ４の具体例を示し、各決済端末毎に、当該端末番号、取引先社名例えばタクシー会社名、取引先住所、取引先電話番号、振込先情報等が格納されている。以上のテーブルは信販会社のカード管理サーバー装置４０に備えられている。
図９は、決済端末装置に備えられた取引テーブルの具体例を示し、サブカード番号、精算金額、新与信金額、利用日時情報、端末番号等が記載されている。
図１０は、センター装置２０に備えられた利用者テーブルＴ６の具体例を示し、利用者のＩＤ番号、取引先社名、サブカード番号、現在のポイント情報（更新されたつまり現在のポイント情報）、利用者名、住所、電話番号等が格納されている。
【００１５】
次に、本システムの処理手順を決済のための準備処理、与信枠設定処理、決済処理に分けて図１１を参照して説明する。
（１）決済のための準備処理、
ユーザーは、まず信販会社と契約しクレジットカードを取得する、契約後、ユーザーはセンター装置に対して、携帯電話機を通じて例えばカード番号、暗証番号と適宜その他の情報（氏名、住所、電話番号）を送信する（Ｓ１０１）。センター装置は、ユーザーの氏名、住所、電話番号を各利用者毎にＩＤ情報を付与して利用者テーブルＴ６を作成して格納し（Ｓ１０２）、かつカード管理サーバーに対してユーザーから送信された前記情報を転送する（Ｓ１０３）。
【００１６】
カード管理サーバー４２は、カード番号、暗証番号、その他の情報を顧客テーブルＴ１と照合して確認する（Ｓ１０４）。照合できれば（Ｓ１０４、ＹＥＳ）、カード番号に応じたサブカード番号を作成して、その情報を顧客テーブルＴ１に追加登録する（Ｓ１０５）。カード管理サーバー４２は、サブカードの番号と登録完了通知をセンター装置２０に送信する（Ｓ１０６）、センター装置２０は、これに携帯電話機１０で決済処理するために必要な決済プログラムを付加して携帯電話機１０に転送し（Ｓ１０７）、携帯電話機１０は、送信された決済プログラム、サブカード番号および登録完了通知を自身の記憶装置に記憶し（Ｓ１０８）、決済のための準備処理が終了する。
ここで、決済プログラムが携帯電話機１０にダウンロードされると、決済プログラムは、携帯電話機１０の動作中は常時或いは必要に応じて起動するように設定される。
【００１７】
（２）与信枠設定について
ユーザーは、ダウンロードした決済プログラムを用いてセンター装置２０に対してサブカード番号及び与信金額を送信して与信枠の設定を要求する（Ｓ２０１）。センター装置２０は、カード管理サーバー４２に対し前記情報を転送する（Ｓ２０２）。カード管理サーバー４２は、サブカード番号を確認してカード利用額テーブルＴ２からカード（予めユーザーが信販会社と契約して付与されたカードのこと、ここでは親カードという）に付与された与信額を取得し、サブカードに要求された金額の与信額を付与し、親カードの与信金額からサブカードで要求された与信枠相当金額を減算し、残りの金額を新たに親カードの与信枠としてカード利用額テーブルＴ２に登録し、かつ、サブカード番号と共に当該サブカードに付与した与信額を記憶する（Ｓ２０３）。
【００１８】
カード管理サーバー４２は、センター装置２０にサブカードの与信枠取得通知及び与信金額情報を通知し（Ｓ２０４）、センター装置２０は携帯電話機１０に同情報の送信を行う（Ｓ２０５）。
携帯電話機１０は、上記情報の受信に基づき携帯電話機１０に内蔵された非接触ＩＣチップ（図示せず）に与信金額情報を記憶する（Ｓ２０６）。ここで、携帯電話機１０に記憶された前記与信金額情報は、例えばＩＣカードリーダにより引き出し可能である。
【００１９】
（３）決済処理について
ユーザーは物或いはサービスを受けた或いは受けるとき、携帯電話機１０を読取部（ＩＣカードリーダ）３２を備えた決済端末装置３０に読み取らせる。つまり、携帯電話機１０は、決済端末装置３０からのポーリングコマンド（識別情報の呼び出し）に応じて、内蔵した非接触ＩＣチップから識別情報を決済端末装置３０に送信する（Ｓ３０１）。次に、決済端末装置３０は認証処理を行い（Ｓ３０２）、認証されれば（Ｓ３０２，ＹＥＳ）、その旨を決済プログラムにより携帯電話機１０の表示装置１２に表示する（Ｓ３０３）（なお、認証されなければその旨を同様に携帯電話機の表示装置に表示する）。また、決済端末装置３０からの請求金額は、同様に決済プログラムにより携帯電話機の表示装置１２に表示する（Ｓ３０４）。
【００２０】
ここで、決済端末装置３０は、携帯電話機１０から取得したサブカード番号並びに与信金額をカード管理サーバー４２に問い合わせ（Ｓ３０５）、カード管理サーバー４２から決済許可信号を受信すると（Ｓ３０６）、決済端末装置３０は、当該携帯電話機１０に付与されている与信金額から精算金額を減算し、サブカードの新たな与信金額として前記与信金額を携帯電話機１０に送信し（Ｓ３０７）、その更新した与信金額等決済情報と前記携帯電話機１０のサブカード番号と共に、決済終了情報と当該端末ＩＤ情報をカード管理サーバー４２に送信する（Ｓ３０８）。また、サブカード番号、精算金額及び更新した与信金額情報を決済端末装置３０に備えられた取引テーブルＴ５に記憶する（Ｓ３０９）。続いて、決済端末装置３０は、カード管理サーバー４２に対して前記取引テーブルＴ５のデータの送信を行う（Ｓ３１０）。
【００２１】
なお、ステップＳ３０６からステップＳ３０７に進む段階で、ユーザーに決済確認の要求を行い、ユーザーの確認操作を促して、確認後にステップＳ３０７に進むようにしてもよい。この場合、例えば、精算処理可能金額の設定、つまり一回の取引金額に上限値を設ける設定を可能にする。例えば、３０００円以下の精算については、ユーザーの確認なしで自動的に精算を行い、３０００円を越える精算については、例えば携帯電話機１０の確認ボタンを操作することを要するよう設定する。
【００２２】
以上の決済処理において、決済プログラムにより、まず、決済端末装置３０から認証コードを受信すると、携帯電話機１０の表示画面１２に「認証中」を表示する。続いて、決済端末装置１０からの精算金額情報を受信すると、表示画面１２に例えば「精算額  １０００円、残高９０００円」を表示する。更に、決済端末装置３０との精算処理終了情報を受信すると、前記表示画面１２に「精算額１０００円、残高９０００円  取引正常終了」と表示する処理を行う。このように取引の過程が分かるため利用者は安心して決済ができる。
【００２３】
次ぎに、カード管理サーバー４２は、決済端末装置３０から送信された取引テーブルＴ５のデータを受信すると記憶し（Ｓ３１１）、サブカード情報が顧客テーブルＴ１に登録されているか照合し、情報が一致した場合には、精算テーブルＴ３に取引テーブルＴ５のデータを移す（Ｓ３１２）。
カード管理サーバー４２は、決済端末装置３０に決済処理完了通知、決済日、支払い日時情報を送信し（Ｓ３１３）、かつ、ユーザーに対し請求書発行処理等の請求処理を行う（Ｓ３１４）。
【００２４】
（４）ポイント付与及び管理のための処理について
決済端末装置３０は、センター装置２０に対して取引データを送信し（Ｓ３１５）、センター装置２０は、送信された取引データのサブカード情報と対に登録されているＩＤ番号（コード）に対して、例えば、取引データの中に含まれる精算金額に応じたポイントを、各携帯電話機のＩＤ番号毎に、また各取引先企業毎に算出し、算出されたポイントを加算し、利用者テーブルＴ６に記憶する（Ｓ３１６）。ポイントの加算後に決済端末装置３０に対して完了通知を送信して処理を終了する。
【００２５】
ユーザーがポイントを利用する場合は、携帯電話機１０からセンター装置２０に取引先企業名とポイント情報送信要求を送り（Ｓ４０１）、センター装置２０は前記要求を受け付けると、当該携帯電話機１０のＩＤ番号から利用者テーブルにアクセスして指定された取引先企業のポイントを読み出し（Ｓ４０２）、携帯電話機１０に送信し（Ｓ４０３）、携帯電話機１０は受信したポイントを記憶する（Ｓ４０４）。
次ぎに携帯電話機１０のポイントを決済端末装置３０に読み取らせ（Ｓ４０５）、決済端末装置３０は、当該ポイントが当該決済端末装置で使用可能であるときは、提供される商品或いはサービスの対価或いはその一部として決済に使用されたポイント数を減算し、携帯電話機にこの更新したポイント数を書き込む（Ｓ４０６）と共に、センター装置２０に送信する（Ｓ４０７）。
【００２６】
また、決済端末装置３０とカード管理装置４０は必ずしも上記のようにオンライン結合させたものに限定する必要はなく、決済端末装置３０をカード管理装置４０から切り離し、決済端末装置３０で一日の決済処理を終了した後に、通信機能を備えた端末装置に接続することにより、決済処理情報をまとめてカード管理サーバー４２に送信するようにしてもよい。
【００２７】
次にポイントカード管理システムの第２の実施形態について説明する。
このポイント管理システムは、カード管理装置４０が端末装置３０における取引情報を管理し、センター装置２０は管理装置４０から得た決済処理情報に基づきポイントの付与及びポイントの更新情報の管理を行うことを除き、図１示すポイント管理システムと同様である。
【００２８】
図１２は、この第２の実施形態に係る処理を示すフロー図である。
第１の実施形態における前記ポイントカード管理システムにおいては、決済端末３０は、センター装置２０に対して取引データを送信し（Ｓ３１５）、センター装置２０は、この取引データに基づきポイント付与を行う（Ｓ３１６）。また、決済端末装置３０が携帯電話機１０のポイントを読み取りかつ更新したポイントをセンター装置２０に送信しているが、第２の実施形態では、決済端末装置２０は、前記取引テーブルＴ５の内容と共にポイント更新データをカード管理装置４０に送信する（Ｓ３１０）。即ち、決済端末装置３０は、当該ポイントが当該決済端末装置３０で使用可能であるときは、提供される商品或いはサービスの対価或いはその一部として決済に使用されたポイント数を減算し、携帯電話機にこの更新したポイント数を書き込む（Ｓ４０６）と共に、管理装置４０に送信する（Ｓ４０７）。カード管理装置４０は、送信された取引テーブルＴ５の記録内容（決済端末装置３０と携帯電話機１０間で行った決済に関する決済情報）中の「端末番号」を基に、取引先テーブルＴ４中の「取引先社名」を抽出して、その情報を決済情報と共にセンター装置２０に対して送信する（Ｓ４０８）。センター装置２０は、決済情報中の精算金額データに応じたポイントを算出し、利用者テーブルＴ６中の「取引先社名」と「サブカード番号」に対応する「ポイント情報」項目に算出されたポイントを加算する（Ｓ４０９）。その他の処理フローは図１１に関連して説明した第１実施形態と同様である。
【００２９】
なお、以上の各実施形態において、決済端末装置３０とセンター装置２０及びカード管理装置４０は必ずしも上記のようにオンライン結合させたものに限定する必要はなく、決済端末装置３０をセンター装置２０及びカード管理装置４０から切り離し、決済端末装置３０で一日の決済処理を終了した後に、通信機能を備えた端末装置３０’に接続することにより、決済処理情報をまとめてカード管理装置４０或いはセンター装置２０に送信するようにしてもよい。
【００３０】
図１３は、この通信機構を備えた端末装置を用いたポイント管理システムを示すブロック図である。
即ち、本実施形態に係るポイント管理システムは、携帯無線端末装置、典型的には携帯電話機１０と、センター装置２０と、決済端末装置３０と、カード管理装置４０、通信機能付き端末装置５０とからなっており、第１の実施形態と同様に、携帯電話機１０はセンター装置２０と携帯電話回線網ＮＴ１を介して接続されており、かつセンター装置２０は商用通信回線網ＮＴ２を介して例えば信販会社のカード管理装置４０に接続されているが、決済端末装置３０はネットワーク結合しておらず、例えばタクシー車内などに各独立して設置されている。決済端末装置３０のポイント情報を含む決済情報は、例えばタクシー営業所等に設置された通信装置付き端末装置５０に自動又は手動で入力され、前記端末装置５０は前記決済情報を自身の記憶装置に記憶すると共に、センター装置及びカード管理装置に送信する。
【図面の簡単な説明】
【００３１】
【図１】本発明のポイント管理システムのブロック図である。
【図２】センター装置を概略的に示すブロック図である。
【図３】決済端末装置を概略的に示すブロック図である。
【図４】カード管理装置を概略的に示すブロック図である。
【図５】顧客テーブルを示す。
【図６】カード利用額テーブルを示す。
【図７】精算テーブルを示す。
【図８】取引先テーブルを示す。
【図９】取引テーブルを示す。
【図１０】利用者テーブルを示す。
【図１１】本システムの処理手順を示す図である。
【図１２】本発明の別の実施形態に係るポイント管理システムのブロック図である。
【図１３】第２の実施形態に係るポイント管理システムを示すブロック図である。
【符号の説明】
【００３２】
１０・・・携帯電話機、１２・・・表示装置、２０・・・センター装置、２２・・・サーバー、２４・・・記憶装置、２６・・・インターフェース、３０・・・決済端末装置、３２、・・・ＩＣチップ読取機、３４・・・制御部、３６・・・記憶装置、３８・・・インターフェース、４０・・・カード管理装置、４２・・・カード管理サーバー、４４・・・記憶装置、４６・・・インターフェース、５０・・・通信機能付き端末装置、５２・・・入力部、５４・・・制御部、５６・・・記憶装置、５８・・・インターフェース。
【図１】
2006059029.tif 000003
【図２】
2006059029.tif 000004
【図３】
2006059029.tif 000005
【図４】
2006059029.tif 000006
【図５】
2006059029.tif 000007
【図６】
2006059029.tif 000008
【図７】
2006059029.tif 000009
【図８】
2006059029.tif 000010
【図９】
2006059029.tif 000011
【図１０】
2006059029.tif 000012
【図１１】
2006059029.tif 000013
【図１２】
2006059029.tif 000014
【図１３】
2006059029.tif 000015